(57)【特許請求の範囲】
【請求項１】
木製のパレットを載置支持する載置支持部材を備えた木製パレット用搬送装置であって、
前記パレットに喰い込み可能な複数の突起が、前記載置支持部材に上方に突出する状態で設けられ、
前記突起が、前記載置支持部材に対して螺合により取付けられ、
前記突起を載置支持部材に対してねじ込むに伴って互いに接当して、前記突起の載置支持部材に対するねじ込み方向での位置量を規制する位置規制部が、前記突起と前記載置支持部材とに設けられ、
前記位置規制部が、前記突起の載置支持部材に対するねじ込み方向側ほど小径となる円錐面で構成されている木製パレット用搬送装置。
【発明の詳細な説明】
【０００１】
【発明の属する技術分野】
本発明は、木製のパレットを載置支持する載置支持部材を備えた木製パレット用搬送装置に関する。
【０００２】
【従来の技術】
このような搬送装置は、木製のパレット上に各種の物品を載置した状態で、前記載置支持部材によってパレットを支持して、上下方向や横方向などに物品をパレットごと搬送するために用いられる。
【０００３】
ところで、使用するパレットが木製の場合、合成樹脂製のパレットなどと比較して、載置支持部材に対して滑り難いので、木製のパレットについては、載置支持部材に対する滑り防止に関し、特別な配慮が払われていなかったのが実情である。
【０００４】
【発明が解決しようとする課題】
しかし、近年の搬送速度の高速化に伴って、木製のパレットにおいても、搬送中に載置支持部材に対して滑りを生じる虞があり、特に、搬送停止時には、慣性力の作用によってパレットが滑りやすく、パレットが滑ると、パレット上の物品が荷崩れを起こす虞がある。
【０００５】
ちなみに、木製以外のパレットにおいては、パレットの底面に複数の孔を設け、かつ、載置支持部材の上面に複数のピンを突設して、載置支持部材上面のピンをパレット底面の孔内に嵌入した状態で、パレット上の物品をパレットごと搬送するように構成したものが知られている（例えば、特開昭６３−７４８９８号公報参照）。
【０００６】
しかし、上記公報に記載の技術を木製のパレットに適用したとしても、パレットの底面に特殊なピン嵌入用の孔を設ける必要があり、構造的に複雑になるばかりでなく、載置支持部材によりパレットを掬い取る際、パレット底面の孔と載置支持部材上面のピンとの位置を完全に合致させる必要があり、実際の使用上においても問題がある。
【０００７】
本発明は、このような従来の問題点に着目したもので、その目的は、木製パレットの特性を有効に利用して、比較的簡単な構造で載置支持部材に対するパレットの滑りを阻止し、パレットの滑りによる物品の荷崩れを確実に防止することのできる木製パレット用搬送装置の提供にある。
【０００８】
【課題を解決するための手段】
この目的を達成するため、請求項１に記載の発明によれば、木製のパレットを載置支持する載置支持部材を備えた木製パレット用搬送装置であって、前記パレットに喰い込み可能な複数の突起が、前記載置支持部材に上方に突出する状態で設けられている。
【０００９】
したがって、前記載置支持部材によりパレットを持ち上げると、パレットとその上に載置された物品の重みによって、載置支持部材から上方に突出する複数の突起に対してパレットが押し付けられ、複数の突起が木製のパレットに喰い込むことになる。
この複数の突起による木製パレットへの喰い込みで、載置支持部材に対するパレットの滑りが阻止されるので、多少搬送速度を速くしても、パレットの滑りによる物品の荷崩れが防止される。
【００１０】
また、請求項１に記載の発明によれば、前記突起が、前記載置支持部材に対して螺合により取付けられている。
【００１１】
したがって、使用によって各突起が摩耗したり、あるいは、破損した場合、各突起の取り替え作業が容易で、取り替え用の突起さえあれば、使用者側においても簡単に取り替えることができ、メンテナンスの面でも有利である。
【００１２】
また、請求項１に記載の発明によれば、前記突起を載置支持部材に対してねじ込むに伴って互いに接当して、前記突起の載置支持部材に対するねじ込み方向での位置量を規制する位置規制部が、前記突起と前記載置支持部材とに設けられている。
【００１３】
したがって、製造過程において載置支持部材に突起を取付ける場合、あるいは、突起を新しいのと取り替える場合のいずれにおいても、各突起の載置支持部材上面からの突出量を最適な量に設定しやすく、かつ、各突起の突出量を一定にすることも容易となる。
【００１４】
また、請求項１に記載の発明によれば、前記位置規制部が、前記突起の載置支持部材に対するねじ込み方向側ほど小径となる円錐面で構成されている。
【００１５】
したがって、載置支持部材と各突起との螺合箇所におけるガタツキの発生を防止することが可能となる。
すなわち、各突起には、パレットの滑りを阻止するために、突起の軸心方向とほぼ直交する方向に力が作用することになる。その場合、例えば、位置規制部が突起の軸心方向とほぼ直交する平坦な面で構成されていると、突起に作用する力の多くを螺合箇所で受け止めることになり、使用に伴って螺合箇所にガタツキを生じる虞がある。
その点、位置規制部を円錐面で構成すると、突起に作用する力の一部を円錐面で受け止めることになるので、それだけ螺合箇所で受け止める力が少なくなり、螺合箇所でのガタツキの発生を防止することができる。
【００１６】
【発明の実施の形態】
本発明による木製パレット用搬送装置につき、その実施の形態を図面に基づいて説明する。
この木製パレット用搬送装置は、各種の物品を収納保管する自動倉庫などで使用されるもので、図１に示すように、上下方向ならびに横方向に多数の物品収納部１を有する物品収納棚２が、その間口側を相対向させた状態で一対設けられている。
各物品収納部１は、間口側から見て左右一対の物品載置材３を備え、その左右一対の物品載置材３上に、各種の物品Ａを載置した木製のパレットＰを載置することにより、物品ＡをパレットＰごと収納するように構成されている。
【００１７】
一対の物品収納棚２の間には、上下で対をなす上レール４と下レール５とが物品収納棚２の間口に沿って設けられ、その上下のレール４，５に沿って移動するスタッカークレーンＳが設けられている。
スタッカークレーンＳは、下レール５上を自走する台車６と、その台車６上に立設された一対の支柱７と、その支柱７に沿って上下昇降する昇降台８とを備え、その昇降台８に伸縮自在なフォーク装置Ｆが設けられている。
【００１８】
前記フォーク装置Ｆは、図２に示すように、昇降台８に設けられた金属製の固定枠９と、その固定枠９に対してスライド自在な金属製の中間枠１０と、その中間枠１０に対してスライド自在で、その上面に木製のパレットＰを載置支持する金属製の載置支持部材１１などで構成されている。
なお、詳細な説明は省略するが、このフォーク装置Ｆは、図外のスライド駆動装置によって、図２中に矢印で示すように、伸縮可能に構成されている。
【００１９】
前記フォーク装置Ｆの載置支持部材１１には、図３および図４に示すように、上下方向に貫通する複数個、この実施形態では１２個の取付け孔１２が穿設され、各取付け孔１２の上方部分には、載置支持部材１１の上面に開口する状態で雌ねじ１３が刻設されている。
そして、各取付け孔１２の下方部分には、載置支持部材１１の下面に開口する状態で、位置規制部として作用する上方側ほど小径となる支持部材側円錐面１４が形成されている。
【００２０】
各取付け孔１２に取付けられる突起としてのスパイクピン１５は、金属製のピンで構成されていて、図４に示すように、木製のパレットＰに喰い込み可能な断面形状円形の突出部１６と、各取付け孔１２の雌ねじ１３に螺合する雄ねじ１７と、その雄ねじ１７よりも大径の頭部１８とを備えている。
前記頭部１８には、図外のドライバに係合するスリット１９が設けられ、かつ、頭部１８の雄ねじ１７側には、位置規制部として作用する雄ねじ１７側ほど小径となるピン側円錐面２０が、前記支持部材側円錐面１４と合致する状態で設けられている。
このスパイクピン１５は、例えば、突出部１６の直径Ｄが５ミリメートル程度で、載置支持部材１１の上面からの上方への突出量Ｌが５ミリメートル程度になるように設定されている。
【００２１】
このような構成のスパイクピン１５を載置支持部材１１に取付けるには、図４の（イ）に示すように、各取付け孔１２に対してスパイクピン１５を載置支持部材１１の下面側から挿入し、頭部１８のスリット１９を利用して、図外のドライバによってねじ込む。このスパイクピン１５の取付け孔１２へのねじ込みに伴って、図４の（ロ）に示すように、ピン側円錐面２０が支持部材側円錐面１４に接当し、それ以上のねじ込みを規制する。
つまり、両円錐面１４，２０が互いに接当することによって、スパイクピン１５の載置支持部材１１に対するねじ込み方向での位置量が規制され、その規制された状態において、スパイクピン１５の突出部１６のみが、載置支持部材１１の上面から５ミリメートル程度突出するように構成されている。
【００２２】
このようにして、載置支持部材１１には、木製のパレットＰに喰い込み可能な突出部１６を有する複数個のスパイクピン１５が上方に突設されているので、中間枠１０と載置支持部材１１とをスライドさせて伸長させ、載置支持部材１１をパレットＰの下方に位置させて、フォーク装置Ｆを昇降台８ごと上昇させてパレットＰを持ち上げると、物品Ａを載置したパレットＰが、その物品ＡとパレットＰとの重みで下方に位置する複数のスパイクピン１５側に押し付けられ、各スパイクピン１５の突出部１６が、木製のパレットＰに喰い込んで、載置支持部材１１に対するパレットＰの滑りを阻止するのである。
【００２３】
その後、中間枠１０と載置支持部材１１とを短縮させて、物品ＡをパレットＰごと昇降台８上に移載し、昇降台８の昇降や台車６の移動によって物品ＡをパレットＰごと所定の箇所にまで搬送することになるが、上述のように載置支持部材１１に対するパレットＰの滑りが阻止されているので、搬送速度を多少速くしても、パレットＰの滑りによる物品Ａの荷崩れが確実に防止される。
そして、長年の使用によって、スパイクピン１５が摩耗したり、損傷した場合には、頭部１８のスリット１９を利用してドライバなどで古いスパイクピン１５を取り外し、代わりに、新しいスパイクピン１５をねじ込むことにより、簡単に取り替え作業を行うことができる。
【００２４】
〔別実施形態〕
つぎに、図５、図６に示す別の実施形態について説明するが、先の実施形態と同じ作用を有する構成部分については、同じ符号を付すことによって、その説明を省略し、主として先の実施形態と異なる構成部分についてのみ説明する。
【００２５】
（１）先の実施形態では、スパイクピン１５の頭部１８にピン側円錐面２０を設けた例を示したが、スパイクピン１５の頭部１８をなくして、ピン側円錐面２０を設けることもできる。
その実施形態を示したのが図５で、このスパイクピン１５ａは、先の実施形態のような頭部１８を備えておらず、雄ねじ１７のねじ込み方向の先端側にピン側円錐面２０が設けられている。そして、そのピン側円錐面２０の更に先端側に木製のパレットＰに喰い込む突出部１６が設けられ、雄ねじ１７の後端面にドライバ用のスリット１９が設けられている。
この実施形態においても、スパイクピン１５ａの取付け孔１２へのねじ込みに伴って、ピン側円錐面２０が支持部材側円錐面１４に接当して、それ以上のねじ込みが規制され、スパイクピン１５ａの突出部１６のみが、載置支持部材１１の上面から突出するように構成されている。
【００２７】
（２）これまでの実施形態では、スパイクピン１５，１５ａを取付け孔１２に対して下方から挿入してねじ込む構成のものを示したが、取付け孔１２に対して上方からねじ込むように構成することもできる。
その実施形態を示したのが図６で、このスパイクピン１５ｃは、頭部１８を挟んで突出部１６と雄ねじ１７とが互いに反対側に設けられ、頭部１８の雄ねじ１７側にピン側円錐面２０が設けられるとともに、雄ねじ１７の端面にスリット１９が設けられている。
この実施形態においては、スパイクピン１５ｃの雄ねじ１７を下方に向けた状態で、上方から取付け孔１２に挿入し、取付け孔１２の下方からドライバを挿入してスパイクピン１５ｃをねじ込む。このスパイクピン１５ｃは、取付け孔１２に対して下方に向けてねじ込まれ、その下方へのねじ込みに伴って、ピン側円錐面２０が支持部材側円錐面１４に接当して、それ以上のねじ込みが規制され、突出部１６が載置支持部材１１の上面から突出することになる。
【００２９】
（３）これまでの実施形態では、スタッカークレーンＳのフォーク装置Ｆを構成する載置支持部材１１にスパイクピン１５，１５ａ，１５ｃを設けた例を示したが、スタッカークレーンＳ以外の各種のフォーク装置にも適用可能であり、また、フォークリフトのフォークにスパイクピン１５，１５ａ，１５ｃを取付けて実施することもできる。
【００３０】
（４）本発明の搬送装置に使用するパレットＰとしては、両面が使用可能なパレット、片面のみ使用可能なパレット、その他、いわゆるヨーロッパパレットなど、パレットの型式に制限されることなく、あらゆる木製のパレットＰを使用することができる。
さらに、パレットＰは、木製の角材や板材で構成したものに限らず、細分化された木屑などを接着剤と共に固めた、いわゆる集成材で構成したものでもよく、その場合、パレット全体を集成材で一体的に構成したものでも、パレットの一部を集成材で構成したものでもよい。要するに、スパイクピン１５，１５ａ，１５ｃが喰い込む箇所に木製部分や上述した集成材が設けられたパレットであれば適用可能であり、したがって、本明細書においては、それらのパレットを含んで木製のパレットＰと総称する。
また、スパイクピン１５，１５ａ，１５ｃの形状などについても特に制限はなく、例えば、スパイクピン１５，１５ａ，１５ｃの突出部１６についても、断面形状を円形にする以外に、断面形状を正方形にしたり三角形にすることもでき、更に、載置支持部材１１に取付ける個数にしても、パレットＰの大きさや載置する物品Ａの重量などを考慮して適宜変更可能である。
【図面の簡単な説明】
【図１】自動倉庫の正面図
【図２】フォーク装置の正面図
【図３】載置支持部材の平面図
【図４】載置支持部材の要部断面図
【図５】別の実施形態を示す載置支持部材の要部断面図
【図６】別の実施形態を示す載置支持部材の要部断面図
【符号の説明】
１１                          載置支持部材
１４，２０                    位置規制部としての円錐面
１５，１５ａ，１５ｃ          突起
２２                          位置規制部
Ｐ                            木製のパレット
【図１】
0003599166.tif 000002
【図２】
0003599166.tif 000003
【図３】
0003599166.tif 000004
【図４】
0003599166.tif 000005
【図５】
0003599166.tif 000006
【図６】
0003599166.tif 000007